(57)【特許請求の範囲】
【請求項１】
各コーナーとなる位置に配した金属製の取付パイプに金属パイプを接続することによって形成した平面略短形状の枠体と、互いに交叉することになる位置に配した複数の金属製の取付パイプと前記枠体との間に接続されることにより、前記枠体の内側に縦方向と横方向に配置された金属製の梁部材と、前記枠体の各コーナーに配した取付パイプにその上端側を挿入固定させた金属製の脚部と、前記枠体と前記梁部材の各内側に張設された多数のパンチ孔を有する金属製の補強プレートと、前記梁部材の交叉位置に配置した取付パイプにその上端側を挿入固定した複数のつかまり棒と、前記枠体と前記梁部材の上面に固着された天板とで構成したことを特徴とする、耐震用幼児机。
【請求項２】
前記枠部材の前記各取付パイプへ前記脚部を取り付けるに当たり、前記各取付パイプの上端側に窪所を設けて取付プレートを取り付け、この取付プレートに設けた挿通孔を介して取付ボルトを前記脚部の挿入上端に取り付けた取付プレートに固着させることを特徴とする、請求項１に記載の耐震用幼児机。
【請求項３】
金属パイプを接続することによって形成した平面略短形状の枠体と、この枠体の内側の縦方向と横方向に配置接続された金属製の梁部材と、前記枠体の各コーナーの下面に取り付けた取付部材に折り畳み可能に取り付けた金属製の脚部と、前記枠体と前記梁部材の各内側に張設された多数のパンチ孔を有する金属製の補強プレートと、前記梁部材の互いに交叉する位置の下面に取り付けた取付部材に折り畳み可能に取り付けられたつかまり棒と、前記脚部と前記枠体及び前記つかまり棒と前記梁部材との間に設けられた前記脚部と前記つかまり棒を直立状態で保持させるストッパー手段と、前記枠体と梁部材の上面に固着された天板とで構成したことを特徴とする、耐震用幼児机。
【請求項４】
前記ストッパー手段は、前記枠体及び前記梁部材に一端部を軸着した第１ストッパー片と、前記脚部及び前記つかまり棒に一端部を軸着した第２ストッパー片と、前記第１ストッパー片と前記第２ストッパー片の各自由端側を折り畳み可能に連結する連結ピンと、前記第１ストッパー片と前記第２ストッパー片を展開状態で保持すべく当該第１ストッパー片と当該第２ストッパー片との間に張設したコイルスプリングとで構成したことを特徴とする、請求項３に記載の耐震用幼児机。
【請求項５】
脚部の一部には、机を傾斜させた際に接地する移動用のローラを取り付けたことを特徴とする、請求項１乃至４のいずれかに記載の耐震用幼児机。
【発明の詳細な説明】
【０００１】
【発明の属する技術分野】
この発明は、保育園や幼稚園等の幼児が集まる場所に設置して好適な耐震用幼児机に関する。
【０００２】
【従来の技術】
従来、保育園や幼稚園等において、保育中や授業中に地震に遭遇した際には、幼児はまず使用している机の下に避難することが安全対策として説明され、また、地震を想定した初動時の避難訓練の際にも、このことが訓練として実行されている。
【０００３】
【発明が解決しようとする課題】
そうすると、幼児机は当然に簡単には圧壊しないような充分に強度を有するものとしなくてはならない上に、机の下に避難した幼児の安全性をも充分に配慮したものとしなくてはならない。
【０００４】
この発明の目的は、地震の際に上に重量物が落下して来たり、倒れて来ても容易には圧壊しない強度を有し、机の下に避難した学童の身体、生命の安全性を図ることのできる耐震用幼児机を提供せんとするにある。
【０００５】
【課題を解決するための手段】
上述した目的を達成するためにこの発明は、各コーナーとなる位置に配した金属製の取付パイプに金属パイプを接続することによって形成した平面略短形状の枠体と、互いに交叉することになる位置に配した複数の金属製の取付パイプと前記枠体との間に接続されることにより、前記枠体の内側に縦方向と横方向に配置された金属製の梁部材と、前記枠体の各コーナーに配した取付パイプにその上端側を挿入固定させた金属製の脚部と、前記枠体と前記梁部材の各内側に張設された多数のパンチ孔を有する金属製の補強プレートと、前記梁部材の交叉位置に配置した取付パイプにその上端側を挿入固定した複数のつかまり棒と、前記枠体と前記梁部材の上面に固着された天板とで構成したことを特徴とする。
【０００６】
この発明はまた、前記枠部材の前記各取付パイプへ前記脚部を取り付けるに当たり、前記各取付パイプの上端側に窪所を設けて取付プレートを取り付け、この取付プレートに設けた挿通孔を介して取付ボルトを前記脚部の挿入上端に取り付けた取付プレートに固着させることを特徴とする。
【０００７】
さらにこの発明は、金属パイプを接続することによって形成した平面略短形状の枠体と、この枠体の内側の縦方向と横方向に配置接続された金属製の梁部材と、前記枠体の各コーナーの下面に取り付けた取付部材に折り畳み可能に取り付けた金属製の脚部と、前記枠体と前記梁部材の各内側に張設された多数のパンチ孔を有する金属製の補強プレートと、前記梁部材の互いに交叉する位置の下面に取り付けた取付部材に折り畳み可能に取り付けられたつかまり棒と、前記脚部と前記枠体及び前記つかまり棒と前記梁部材との間に設けられた前記脚部と前記つかまり棒を直立状態で保持させるストッパー手段と、前記枠体と梁部材の上面に固着された天板とで構成したことを特徴とする。
【０００８】
この発明はさらに、前記ストッパー手段は、前記枠体及び前記梁部材に一端部を軸着した第１ストッパー片と、前記脚部及び前記つかまり棒に一端部を軸着した第２ストッパー片と、前記第１ストッパー片と前記第２ストッパー片の各自由端側を折り畳み可能に連結する連結ピンと、前記第１ストッパー片と前記第２ストッパー片を展開状態で保持すべく当該第１ストッパー片と当該第２ストッパー片との間に張設したコイルスプリングとで構成したことを特徴とする。
【０００９】
そして、以上いずれの際にも脚部の一部には、机を傾斜させた際に接地する移動用のローラを取り付けることができる。
【００１０】
【発明の実施の形態】
図面は、この発明の一実施の形態を示し、図１乃至図５において、１は例えばスチール、ステンレス製等の角筒状の金属パイプ１ｂ，１ｂ・・の両端部を、そのコーナー部に配置した丸筒状の取付パイプ１ａ，１ａ・・・に、例えば溶着等の手段で平面略矩形状を呈するように固着して成る枠体であり、この枠体１の内側には縦横に例えばスチール、ステンレス製等の金属パイプから成る長短複数の梁部材２・・・を例えば溶着等の手段で固着してある。この枠部材２，２・・・と枠体１との間には、とくに図３に示したように、多数のパンチ孔３ａ，３ａ・・・を設けた、例えばスチール、ステンレス製等の補強プレート３，３・・・が例えば溶着等の手段で張設されている。尚、この補強プレート３，３・・・は、ボルトやビス等を用いて枠体１や梁部材２に固着しても良い。枠体１の各コーナー部の取付パイプ１ａ，１ａ・・・には、丸筒状の例えばスチール、ステンレス製等の４本の脚部４，４・・・が、その上端部を各取付パイプ１ａ，１ａ・・・に嵌入させ、該取付パイプ１ａ，１ａ・・・の軸方向に取り付けた取付ボルト５（１本のみ表示）によって、着脱可能に固着されている。尚、この脚部４の取付手段は詳しくは図４に示してある。図面によれば取付パイプ１ａには上部に窪所１ｃを設けた上で、取付プレート１ｄが溶着されており、この取付プレート１ｄを介してボルト５で脚部４の上端に溶着した取付プレート４ｂを止着させている。
【００１１】
梁部材２の中央部のものには一対の取付パイプ６，６が所定間隔を空けて溶着等の手段で固着されており、この取付パイプ６，６に例えばスチール、ステンレス製等のつかまり棒７，７が、その上端を例えばボルト等の手段によって着脱可能に取り付けられている。尚、このつかまり棒７，７の梁部材２に対する固定手段は、上述した脚部４の取付手段と同じであるが、このものに限定されない。それは例えばつかまり棒７の上端側に雄ネジ部を設けて取付パイプ６，６に設けた雌ネジ部へネジ着させても良い。或は取付パイプ６の半径方向よりボルトで固定するようにしても良い。要するにその固定方法に限定はなく公知のさまざまな手段が用いられよう。これは脚部４の場合も同じである。このつかまり棒７，７は必ずしも床上に接地する必要はないが、接地させると幼児机の耐圧強度を増大させることができるという利点がある。また、このつかまり棒７，７はこれが２本であると、通常幼児机には６人程度の幼児が席についているので、地震の際にこれによってつかまることのできる人数を多くすることができるが、必ずしも２本である必要はない。１本でもあるいは２本以上でも、机の大小に応じて任意に選択できる。脚部４やつかまり棒７の下端には、高さ調節付きのゴム座４ａ，７ａを取り付けてあるが、このゴム座は固定式であっても良い。
【００１２】
４本の脚部４のうち、一側方に位置するものの下端部には幼児机を傾けた際に接地するようにローラ８，８が取り付けられている。８ａ，８ａはこのローラ８，８を覆うカバーである。そして、とくに図５に示したように、枠体１や梁部材２の上面には例えば木製の天板１０が載置され、この天板１０は枠体１や梁部材２に取り付けた取付片９にボルト９ａを介して着脱可能に固着されている。
【００１３】
したがって、保育園や幼稚園等にあっては保育室で保育中に地震が来た際に園児や保母がこの幼児机の下に逃げ込み、つかまり棒にしがみついていることにより、激しい揺れにあっても身体が幼児机の下から飛び出してしまうことを防止できることにより、落下物に体して身体や生命の安全を確保することができるのである。また、建物がくずれ、天井や梁が落下してくるような地震の際にも、重量のある落下物に対し机が圧壊することなく耐え、机の下に避難した園児や保母の身体や生命を守ることができるものである。
【００１４】
図６乃至図９は、この発明の他の実施の形態を示し、この実施の形態に係るものも、金属パイプ製の枠体１１と、この枠体１１の内側に取り付けた長短の梁部材１２及び多数のパンチ孔１３ａを設けた金属製の補強プレート１３を有する点は先の実施の形態のものと同じである。しかし、脚部１４とつかまり棒１５が折り畳み可能に構成されている点で、先の実施の形態のものと相違する。
【００１５】
即ち、脚部１４は１本ずつ独立しているのではなく、一対ずつ略コの字形状を呈するように金属パイプで形成されており、取付部材１６，１６を介して枠体１１に折り畳み可能に取り付けられている。１７はこの脚部１４のストッパー手段であり、枠体１１側にピン１９によって軸着した第１ストッパー片１７ａと、脚部１４側にピン１８によって軸着した第２ストッパー片１７ｂの各自由端側を、互いに屈曲展開可能に連結ピン２０で連結させて成り、第１ストッパー片１７ａと第２ストッパー片１７ｂとの間にスプリング２１を張設させてある。２２は各一対の脚部１４，１４に設けたストッパー片１７ａ，１７ａを共動させるためのストッパー手段１７の連結棒である。
【００１６】
つかまり棒１５，１５は取付部材２３を介して梁部材１２に折り畳み可能に取り付けられており、このつかまり棒１５，１５にはそれぞれのストッパー手段２４，２４が取り付けられている。  その一部の拡大側断面図は図９に示してあるが、その構造は連接棒がない点を除いて脚部１４のストッパー手段１７と同じであるので説明は省略する。尚、脚部１４とつかまり棒１５の枠体１１と梁部材１２に対する取付手段及びストッパー手段は一例であって実施例のものに限定されない。
【００１７】
したがって、各脚部１４とつかまり棒１５はこれを開いた状態においてストッパー手段各１７，２４の各ストッパー片１７ａ，１７ｂ，２４ａ，２４ｂは展開した状態にあり、相互のストッパー部１７ｃ，１７ｄ，２４ｃ，２４ｄが衝接していることにより、折り畳み方向へは倒れず、また、このストッパー手段１７，２４により引っ張られることにより、この反対方向へも倒れないようにしっかりと直立状態で固定される。各スプリング２１，２１は各ストッパー片１７ａ，１７ｂ・２４ａ，２４ｂが自然には折り畳まれないように互いを引っ張っている。脚部１５を折り畳む場合には連接棒２２を押すと、第１ストッパー片１７ａと第２ストッパー片１７ｂが互いの連結位置を支点に折れ曲がって屈曲し、脚部１４が若干倒れるので、後は手で脚部１４を折り畳み方向へ押すことにより、折り畳むことが可能となる。折り畳んだ脚部１４を開く場合には、脚部１４を手で持って開くと、ストッパー手段１７の各ストッパー片１７ａ，１７ｂは展開して、脚部１４の起動を可能とする。開いた脚部１４が直立位置で固定されることについては前述した。各つかまり棒１５を折り畳む際には、ストッパー手段２４，２４のいずれか一方のストッパー片２４ａ，２４ａを若干押すと、各ストッパー片２４ａ，２４ｂはスプリング２５の牽引力に抗してその連結位置を支点に折れ曲がり、つかまり棒１５が若干倒れるので、後は手で押して折り畳むことになる。その他の機能と操作は、脚部１４の場合と同じである。
【００１８】
尚、２６，２６は幼児机の脚部やつかまり棒を折り畳んで重ねる場合に、その上側にくる幼児机の受け部材である。合成樹脂で作られており、これがあると幼児机の天板を傷つけることがない、という利点を有する。
【００１９】
【発明の効果】
この発明は以上のように構成したので、次のような効果を奏し得る。
【００２０】
請求項１のように構成すると、地震の際にこの幼児机の下へ逃げ込み、つかまり棒にしがみついていることにより、落下物より身を守ることができる上に、机の上に天井や梁のような重量のあるものが落下して来ても、金属製のパイプを使用した骨組によって支えることができ、圧壊してしまう心配がないので、幼児その他の子供や大人の身体や生命の安全を確保することができるものである。
【００２１】
請求項２のように構成すると、請求項１と同じ作用効果を奏した上で、枠体と梁部材との間に張設した補強プレートにより幼児机全体の耐圧強度が大幅に増大する他、落下物により天板が割れたり折れたりしてしまっても、落下物が補強プレートによって阻止され、机の下に避難した幼児等を直撃することを防止することができるものである。
【００２２】
請求項３のように構成すると、請求項１と同じ効果を奏した上で、非使用時には、脚部やつかまり棒を折り畳んで幼児机を重ねておくことができ、設置スペースを省略できるという効果を奏し得る。
【００２３】
請求項４のように構成すると、請求項２と３を合わせたのと同じ効果を奏し得る。
【００２４】
請求項５のように構成すると、請求項１乃至４と同じ効果を奏した上で、机の移動時には、該机をローラを取り付けた方向へ少し傾けると、ローラが接地するので、これを押すことによりその重量を感じさせることなく簡単に移動することができるという効果を奏し得るものである。
【図面の簡単な説明】
【図１】この発明に係る耐震用幼児机の正面図である。
【図２】図１に示した耐震用幼机の側面図である。
【図３】図１に示した耐震用幼児机の天板を取り外して見た平面図である。
【図４】図１に示した耐震用幼児机の脚部の部分の一部省略、一部断面の拡大図である。
【図５】図１に示した耐震用幼児机の天板の取付状態を示す一部省略、一部断面の拡大図である。
【図６】この発明に係る他の実施の形態の耐震用幼児机の正面図である。
【図７】図６に示した耐震用幼児机の脚部とつかまり棒を折り畳んで見た底面図である。
【図８】図６に示した耐震用幼児机の脚部のストッパー手段の部分の拡大説明図である。
【図９】図６に示した耐震用幼児机のつかまり棒のストッパー手段の部分的拡大断面図である。
【符号の説明】
１  枠体
２  梁部材
３  補強プレート
３ａ  パンチ孔
４  脚部
７  つかまり棒
８  ローラ
１０  天板
１１  枠体
１２  梁部材
１３  補強プレート
１３ａ  パンチ孔
１４  脚部
１５  つかまり棒
１７  ストッパー手段
２３  取付部材
【図１】
0003973268.tif 000002
【図２】
0003973268.tif 000003
【図３】
0003973268.tif 000004
【図４】
0003973268.tif 000005
【図５】
0003973268.tif 000006
【図６】
0003973268.tif 000007
【図７】
0003973268.tif 000008
【図８】
0003973268.tif 000009
【図９】
0003973268.tif 000010